(57)【要約】【課題】呼吸時の息苦しさを少なくして快適に使用できるとともに、使用時の美観に優れた鼻腔用吸収性物品を提供する。【解決手段】液を吸収保持する機能を発揮する本体２が、中空部２ｃを有する管状の状態で鼻腔に挿入されて使用される。鼻腔から分泌される鼻汁などの分泌液は、前記本体２で吸収され保持される。前記中空部２ｃが呼気および吸気の通路として機能するため、使用者は呼吸時の息苦しさを感じることが少なく、快適に使用できる。また、前記本体２は鼻腔に挿入されるため、使用時の美観を損わない。【選択図】　　図１
2004041267.tif 000002
【特許請求の範囲】
【請求項１】
液を吸収保持する機能を発揮する本体を有し、前記本体が中空部を有する管状の状態で鼻腔に挿入されて使用される鼻腔用吸収性物品において、
前記中空部が呼気および吸気の通路として機能することを特徴とする鼻腔用吸収性物品。
【請求項２】
前記中空部の内側には、空気中浮遊固形物を濾過する機能を発揮するフィルター部を有する請求項１記載の鼻腔用吸収性物品。
【請求項３】
前記フィルター部は繊維が交絡して構成されている請求項２記載の鼻腔用吸収性物品。
【請求項４】
前記フィルター部を構成する素材が帯電している請求項２または３記載の鼻腔用吸収性物品。
【請求項５】
前記フィルター部を構成する素材が前記空気中浮遊固形物を接着する接着機能を発揮する請求項２または３記載の鼻腔用吸収性物品。
【請求項６】
前記本体には前記鼻腔用吸収性物品を鼻腔内に固定するための固定手段が設けられている請求項１ないし５のいずれかに記載の鼻腔用吸収性物品。
【請求項７】
前記固定手段は、感圧接着剤層が形成されたフィルムから構成されている請求項６記載の鼻腔用吸収性物品。
【請求項８】
前記固定手段の両側縁部に、一対の前記本体が設けられている請求項６または７記載の鼻腔用吸収性物品。
【発明の詳細な説明】
【０００１】
【発明の属する技術分野】
本発明は、鼻腔からの排泄液を吸収でき、特に鼻腔内に挿入しても呼吸が楽にできる鼻腔用吸収性物品に関する。
【０００２】
【従来の技術】
鼻腔内からの排泄液を吸収し、または鼻腔内への花粉や粉塵などの空気中浮遊固形物の吸入を防止するために、鼻腔内に挿入して使用される栓型の鼻用フィルターがある。
【０００３】
特開平１１−３４２２１４号公報にはこの種の鼻用フィルターが開示されている。前記公報に開示された鼻用フィルターは、不織布が中空の略円錐形状に賦型されて形成された２つのフィルター本体と、アーチ状の連結部材とで構成されている。前記２つのフィルター本体のそれぞれの下縁部には前記連結部材の側縁部が接合されており、前記２つのフィルター本体は前記連結部材を介して連結されている。
【０００４】
また前記公報には、不織布から形成された平面形状の基材の一部が略円錐形状に隆起して、中空部を有する２つのフィルター本体が形成された構造の鼻用フィルターが開示されている。
【０００５】
これらの鼻用フィルターは、略円錐形状に形成された２つの前記フィルター本体が、略円錐形状に形成されたフィルター本体の頂部方向から左右それぞれの鼻腔に挿入されて使用される。空気中浮遊固形物は呼吸時に前記フィルター本体で濾過されるため、鼻腔内へ吸入されることを防止できる。このとき、前記フィルター本体は、頂部近傍を構成する部分の不織布の繊維密度が側壁を構成する部分の不織布の繊維密度よりも小さく構成されているため、前記フィルター本体が鼻腔内に挿入されて呼吸をするときに通気抵抗を少なくでき、呼吸時の息苦しさを少なくすることができる。
【０００６】
また前記公報には、１つのフィルター本体と、このフィルター本体の下縁部に設けられた鉤状の固定手段とで構成された鼻用フィルターも開示されている。この鼻用フィルターは、前記フィルター本体を鼻腔内に挿入した後、前記固定手段を鼻の外面に引っ掛けることによって鼻腔に固定できるため、鼻腔内に安定してした状態で使用できるものである。
【０００７】
さらに前記公報には、フィルター本体が液を吸収保持する機能を発揮する素材で形成された鼻用フィルター、およびフィルター本体が２枚重ねられ、この２つの鼻用フィルターの間にパルプなどにより形成された吸収体が挿入された構造の鼻用フィルターも開示されている。これらの鼻用フィルターは、空気中浮遊固形物が前記フィルター本体で濾過されることに加えて、鼻腔内から排泄される鼻汁などの分泌液を前記吸収体によって吸収することができる。
【０００８】
【発明が解決しようとする課題】
しかし、前記公報に開示された鼻用フィルターは、フィルター本体の頂部近傍を構成する不織布の繊維密度を小さくして通気性の向上を図ってはいるが、頂部近傍は開放されている構造ではない。そのため、前記フィルター本体を鼻腔内に挿入して呼吸をしたときに、前記フィルター本体の通気抵抗によって生じる息苦しさを完全に無くすことはできない。
【０００９】
また、前記フィルター本体は開放されている構造ではないため、前記フィルター本体を鼻腔内に挿入したまま会話をすると、声質が変化して聞き取り難いものとなる。
【００１０】
また前記鼻用フィルターは、空気中浮遊固形物が前記フィルター本体で濾過されて捕捉されるが、前記フィルター本体は不織布によって構成されているため、不織布の繊維間に形成された空隙によって形成されている孔が実質的に小さい。そのため空気中浮遊固形物は前記フィルター本体の内層奥部には入り込み難く、主に、前記フィルター本体の表面や、前記フィルター本体を構成する不織布の表面に近い浅い層内に捕捉される。したがって、前記フィルター本体が目詰まりし易く、使用後の短時間で呼吸時の息苦しさが増大し易い。
【００１１】
また、フィルター本体が２枚重ねられ、この２つの鼻用フィルターの間にパルプなどにより形成された吸収体が挿入された構造の鼻用フィルターの場合も、分泌液が前記フィルター本体や、前記吸収体に吸収保持された場合に、前記フィルター本体や吸収体を構成する不織布やパルプなどの繊維間で前記排泄液が固化して、繊維間に形成されている空隙が塞がるため、使用後に息苦しさが増大し易い。
【００１２】
また、前記フィルター本体の直径は使用者の鼻腔の直径に合わせて変化させることができないため、フィルター本体の直径と鼻腔の直径とが適切な関係にない場合には、フィルター本体がずれたり、違和感が大きすぎたりして、快適な使用感を得られない。
【００１３】
さらに、フィルター本体が２つ設けられている構造の鼻用フィルターでは使用時に前記連結部や前記基材が外部から目立ち易く、鉤状の固定手段が設けられている鼻用フィルターでは使用時に前記固定手段が外部から目立ち易い。したがって、これらの鼻用フィルターは使用時の美観に劣るものであった。
【００１４】
本発明は前記従来の課題を解決するものであり、空気中浮遊固形物や鼻腔内からの排泄液による目詰まりを起し難く、呼吸時の息苦しさを少なくして快適に使用できるとともに、使用時の美観に優れた鼻腔用吸収性物品を提供することを目的とする。
【００１５】
【課題を解決するための手段】
本発明は、液を吸収保持する機能を発揮する本体を有し、前記本体が中空部を有する管状の状態で鼻腔に挿入されて使用される鼻腔用吸収性物品において、
前記中空部が呼気および吸気の通路として機能することを特徴とするものである。
【００１６】
この吸収性物品では、液の吸収保持機能を発揮する本体を有しており、この本体が管状の状態で鼻腔に挿入されて使用されるものである。鼻腔から排泄される鼻汁などの分泌液は前記本体によって吸収され保持される。したがって、分泌液が鼻腔外へ流出するのを防止することができる。また前記効果に加えて、前記本体は鼻腔に挿入された時の状態が中空部を有する管状であるため、呼吸時の呼気および吸気は前記中空部を通過することが可能である。したがって、前記本体を鼻腔に挿入しても呼吸を妨げず、息苦しさが極めて少ない。前記鼻腔用吸収性物品は、前記本体が管状に形成された状態で使用者に供給されるものであっても良いが、前記本体がシート状で使用者に供給され、使用時に使用者がシート状の前記本体を巻き付けて管状に形成するものであっても良い。
【００１７】
また、前記中空部の内側には、空気中浮遊固形物を濾過する機能を発揮するフィルター部を有するものとして構成できる。
【００１８】
この場合、前記フィルター部は繊維が交絡して構成されているものとして構成することができる。
【００１９】
このように構成すると、前記フィルター部が空気中浮遊固形物を捕捉し易くなる。
【００２０】
また、前記フィルター部を構成する素材が帯電しているものとして構成することや、前記フィルター部を構成する素材が前記空気中浮遊固形物を接着する接着機能を発揮するものとして構成することが好ましい。
【００２１】
このように、前記フィルター部を構成する素材を帯電させたり、接着機能を発揮させるように構成すると、前記フィルター部の空気中浮遊固形物の捕捉効果を大きくすることができる。
【００２２】
また、前記本体には前記鼻腔用吸収性物品を鼻腔内に固定するための固定手段が設けられているものとして構成することが好ましい。
【００２３】
このように構成すると、鼻腔に挿入された前記本体のずれを防止することができる。
【００２４】
この場合、前記固定手段は、感圧接着剤層が形成されたフィルムから構成されているものとすることが好ましい。
【００２５】
このように構成すると、前記固定手段が目立ち難く、美観を損わない。
また、前記固定手段の両側縁部に、一対の前記本体が設けられているものとして構成することができる。
【００２６】
【発明の実施の形態】
図１は本発明の実施の形態である鼻腔用吸収性物品の第１の実施の形態の第１の例を示す斜視図、図２（Ａ）（Ｂ）は、図１に示す鼻腔用吸収性物品の構造を説明するための斜視図である。
【００２７】
図１に示す鼻腔用吸収性物品１は、主に鼻腔の内壁などから分泌される鼻汁などの分泌液を鼻腔の内部において吸収し、前記分泌液が鼻腔外に流出することを防止するために使用されるものである。さらには鼻腔内に入り込もうとする花粉や埃を吸着することも可能である。
【００２８】
前記鼻腔用吸収性物品は、鼻腔に挿入され、液を吸収保持する機能を発揮する本体２と、前記本体２を鼻腔内に固定させて位置ずれを防止する機能を発揮する固定手段３とから構成される。
【００２９】
前記本体２は上面２ａおよび底面２ｂを有し、中空部２ｃを有する円筒形状に構成されている。前記中空部２ｃは一定の直径寸法を維持した状態で前記底面２ｂから前記上面２ａに向って延びており、上端および下端は前記上面２ａおよび底面２ｂにそれぞれ開口している。
【００３０】
前記本体２の直径寸法Ｄ１は８〜１５ｍｍの範囲であることが好ましい。前記寸法Ｄ１が８ｍｍ未満であると本体２を鼻腔に挿入したときに位置ずれし易くなり、１５ｍｍよりも大きいと鼻腔に挿入し難く、また挿入した後にも違和感を与えるため、良好な装着感を得ることができない。
【００３１】
前記本体２の高さ寸法Ｌ１は３〜４０ｍｍの範囲であることが好ましい。前記寸法Ｌ１が３ｍｍ未満であると前記分泌液の吸収保持量が少なくなり、４０ｍｍよりも大きいと良好な装着感を得ることができない。したがって、前記分泌液の吸収保持量を十分なものとするとともに装着感を損わないためには、前記寸法Ｌ１が５〜２０ｍｍの範囲であることがさらに好ましい。
【００３２】
前記本体２の前記中空部２ｃの内径寸法Ｄ２は２ｍｍ以上であることが好ましい。後記するように、前記中空部２ｃは前記本体２を鼻腔に挿入した際に呼気および吸気の通路部として機能するが、前記中空部２ｃの直径が前記寸法以上とすると、本体２を鼻腔に挿入した際に、呼吸を妨げることとならず、快適に使用できる。
【００３３】
前記本体２の外面２ｄには、鼻腔壁と前記外面２ｄとの位置ずれを防止するため、感圧粘着剤を塗付することができる。この感圧粘着剤は水溶性の材料を主成分として生成されたゲルを使用できる。例えば、ポリアクリル酸とポリアクリル酸ナトリウムとの共重合体、水酸化アルミニウム、酒石酸、グリセリンおよび水を混合して攪拌することによって製造されたものを使用することができる。また前記水溶性のゲルに代えて、非水溶性の材料を主成分として生成されたゲルを使用することもできる。例えば、スチレンとイソプレンとのブロック共重合体｛…（スチレン重合体）−（イソプレン重合体）−（スチレン重合体）…の構造を持つ｝にパラフィン油および粘着付与剤を加熱溶融して製造される材料を使用できる。
【００３４】
この感圧粘着剤は、粘度を「Ｐａ・ｓ」の単位で表わしたときの数値の対数が４．０〜７．０の範囲内であることが好ましい。前記感圧粘着剤の粘度が前記範囲よりも小さいと前記本体２が位置ずれし易くなり、前記範囲より大きいと前記本体２の鼻腔内への挿入や取り外しが難しく、使用し難いものとなる。
【００３５】
また前記構成に加えて、前記感圧粘着剤に保湿効果を付与するための成分を含有することもできる。このように構成すると前記本体２を鼻腔に挿入したときに、鼻腔内壁に与える違和感を少なくすることができる。
【００３６】
また前記構成に代えて、前記外面２ｄにパラフィンオイル、エステル系オイル、シリコン系オイル、グリセリンなどの潤滑剤を塗付し、潤滑機能を付与することもできる。このように構成すると、前記本体２の挿入や取り外しを行ない易くできる。この場合、前記本体２が樹脂から構成されたものである場合には、樹脂を前記潤滑剤によって架橋することが好ましい。このように架橋すると、本体２の表面から前記潤滑剤が剥奪することを防止できる。
【００３７】
さらに、前記本体２に界面活性剤を塗付しても良い。このように構成すると、分泌液を前記本体２に吸収し易くなる。ここで、界面活性剤の種類は特に限定されず、アニオン性界面活性剤、カチオン性界面活性剤もしくは非イオン性界面活性剤のいずれを使用しても良い。
【００３８】
前記固定手段３は、前記本体２の前記底面２ｂから延出するように設けられている。この固定手段３は一定の幅寸法を有する帯状であり、可撓性を有している。固定手段３の裏面（前記底面２ｂ側）には感圧接着剤層が積層されており（図示せず）、さらに前記感圧接着剤層を覆うように離型シートが貼り付けられている（図示せず）。
【００３９】
前記固定手段３の色は特に限定されるものではないが、無色透明または肌色であることが好ましい。後記するように、前記固定手段３は前記本体２を鼻腔に固定するために使用者の鼻の外面に貼付されるものであるが、固定手段３の色を前記のようにすると、外部から前記固定手段３が目立たず、装着時の美観を損うことがない。
【００４０】
前記固定手段３の幅寸法Ｗ１は３〜８ｍｍの範囲であることが好ましく、長さ寸法Ｌ２は５〜１５ｍｍの範囲であることが好ましい。前記幅寸法Ｗ１および前記長さ寸法Ｌ２がそれぞれ前記範囲未満であると固定力に欠け、前記範囲よりも大きいと使用者に違和感を与え、良好な着用感を得ることができない。
【００４１】
前記固定手段３は透湿機能を発揮することが好ましく、透湿度は８００から８０００ｇ／ｍ２であることが好ましい。前記固定手段３が透湿機能を発揮するものとして構成すると、鼻に貼付した際にムレを防止することができる。ここで本明細者において「透湿機能」とは水蒸気を透過させる機能を意味するものである。
【００４２】
また本明細書において「透湿度」とは、ＪＩＳ　Ｌ　１０９９に準じた以下に述べる方法によって測定した測定値を意味する。
【００４３】
この測定方向は、まず、透湿カップを約４０℃の温度に温める。この透湿カップは、上面に開口部を有し、側面および底面を有する円筒状の容器部と、この容器部の上縁部から前記容器部の半径方向外側に向って一定の幅寸法を有して円周方向に連続して設けられた耳部で構成されている。そして、前記耳部には後述するちょうナットが螺着できる複数の雌螺子部が形成されている。この透湿カップは、前記容器部の内径寸法が６０ｍｍであり、また前記耳部の縁部から対向する縁部までの直径が９０ｍｍである。また、前記底面の下面から前記耳部の上面までの高さ寸法ｈ１は２８ｍｍであり、前記底面の上面から前記耳部の下面までの高さ寸法はｈ２は２２ｍｍである。
【００４４】
次に、前記透湿カップの前記容器部内に、吸湿剤として塩化カルシウム約３３グラムを入れ、前記透湿カップに振動を与えて均一に装填した後、前記塩化カルシウムの表面を平にならす。
【００４５】
次に、前記固定手段３を直径約７０ｍｍの大きさに切断し、これを試験片とする。そして、この試験片を前記透湿カップの前記耳部の上部に設置する。この際、前記試験片の中心を前記透湿カップの中心に合わせるように設置する。また、装填された前記吸収剤の上面と前記試験片の下面との距離が３ｍｍになるようにする。
【００４６】
次に、パッキンを前記試料の上部に載置する。前記パッキンは、前記耳部と同一形状であり、中心領域に平面形状が円形の欠損部を有するいわゆるドーナツ形状に形成されている。また前記パッキンは前記耳部とほぼ同一の寸法に形成されている。したがって、前記欠損部の直径寸法は前記容器部の内径寸法とほぼ同じである。
【００４７】
前記パッキンには、前記パッキンを前記耳部の上面にそれぞれの縁部を重ねた状態で載置したときに、前記耳部に形成された前記雌螺子部と相対する位置にこの雌螺子部の直径寸法とほぼ同一の直径寸法を有する穴部を有している。前記パッキンを前記試料の上から載置する際は、前記雌螺子部に前記パッキンの穴部がほぼ重なる位置関係で載置する。
【００４８】
次に、座金として機能するリングを前記パッキンの上部に載置する。このリングは、前記パッキンと同一の形状で構成されており、前記パッキンと同様に複数の穴部が形成されている。また、前記パッキンと同一の寸法で形成されている。前記リングを前記パッキンの上部に載置する際には、前記リングに形成された穴部が、前記耳部に形成された前記雌螺子部および前記パッキンに形成された前記穴部に重なるように前記パッキンの上部に載置する。そして、前記雌螺子部、前記パッキンの穴部および前記リングの穴部をちょうナットで挿通し、ちょうナットを螺着することによって、前記試験片が前記耳部と前記パッキンとの間に固定される。この際、前記試験片は前記耳部の内側、すなわち前記容器部の上面と相対する領域が透湿領域を構成し、この透湿領域の上面が大気に露出しているとともに、下面が前記吸収剤に対向している。
【００４９】
次に、前記耳部、前記試験片、前記パッキンおよび前記リングが固定された状態で、ぞれぞれの側面にビニールテープを貼着してシールする。このように、吸収材が装填されて記試験片が装着された状態の透湿カップを試験体とする。
【００５０】
次に、前記試験体を、温度４０±２℃、相対湿度９０±５℃に調整された恒温・恒湿装置内に置く。この際、前記試験片の約１ｃｍ上部の位置における風速が０．８ｍ／ｓを超えない位置に置く。
【００５１】
そして、前記試験体を前記恒温・恒湿装置内に１時間放置した後、前記恒温・恒湿装置内から前記試験体を取り出し、直ちに前記試験体の質量を測定し、この質量をａ１とする。
【００５２】
前記質量ａ１を測定後、再び前記試験体を前記恒温・恒湿装置内に置く。この際、前記試験体を置く位置は、前記質量ａ１を測定する際に置いた位置と同じ位置に置く。
【００５３】
そして、前記試験体を前記恒温・恒湿装置内に１時間放置した後、前記恒温・恒湿装置内から前記試験体を取り出し、直ちに前記試験体の質量を測定し、この質量をａ２とする。
【００５４】
次に、ＰＡ１＝１０×（ａ２−ａ１）／ＳＡ１の式によって算出した値ＰＡ１を透湿度とする。ここで、ＰＡ１は透湿度（ｇ／ｍ２・ｈ）であり、（ａ２−ａ１）は前記試験体の１時間当りの質量の変化量（ｍｇ／ｈ）であり、ＳＡ１は前記透湿領域の面積（ｃｍ２）を意味する。
【００５５】
前記固定手段３の固着力は、１．０〜５．０Ｎであることが好ましい。ここで本明細書における「固着力」とは、ＪＩＳ　Ｚ　０２３７に準じた以下に述べる方法によって測定した測定値を意味する。
【００５６】
まず、前記固定手段３を、幅１５ｍｍ×長さ２５０ｍｍに切断し、これを試験片とする。
【００５７】
次に、試験板を作成する。まず、幅約５０ｍｍ×長さ約１２５ｍｍに切断されたＳＵＳ３０４鋼板の表面に、２８０番（ＪＩＳ　Ｒ　６２５３）の耐水研磨紙を幅方向に摩擦して傷を付ける。そして、前記鋼板の表面を、前記傷が完全に消えるまで、前記耐水研磨紙により前記鋼板の長さ方向に沿って均一に研磨する。そして、前記のように研磨した鋼板の表面に、ヘキサン、ガソリン、エタノール、イソプロピルアルコール、トルエンなどの溶剤を塗付した後、脱離繊維がなく、且つ前記溶剤に可溶な添加物を含まない布やティッシュペーパなどで前記鋼板の表面を拭いて、前記鋼板の表面を清浄にする。そして、塗付した前記溶剤が乾燥した後、再度、前記溶剤の塗付および清浄作業を行なう。この溶剤塗付および清浄作業を３回以上行ない、前記鋼板の表面が目視にて清浄になったと認められるまで、繰り返して行なう。そして、表面が清浄にされた前記鋼板を試験板とする。
【００５８】
次に、前記試験片の感圧接着剤層を前記試験板の表面に対向させ、前記試験片を前記試験板の表面に固着する。この際、前記試験片と前記試験板のそれぞれの前端部の位置を合わせ、且つ前記試験片を前記試験板の幅方向における中央部に位置させるように固着する。この時、前記試験片の長さ寸法が前記試験板の長さ寸法よりも長いため、前記試験片の後端部領域は前記試験板の後端部から外方に延出する。
【００５９】
次に、前記試験板の表面に固着させた前記試験片の上面にローラを３００／ｍｉｎの速度で１往復させて、前記試験片を前記試験板の表面に圧着させる。前記ローラは表面が厚さ約６ｍｍのゴム層で覆われたものであり、ローラの表面のスプリング硬さが８０±５Ｈｓ、幅約４５ｍｍ、前記ゴム層を含む直径が約９５ｍｍ、質量２０００±５０グラムのものである。前記ローラを前記試験片上に往復させるには、圧縮装置を利用して自動で行なうこと、または手動で行なうことのどちらでも良いが、前記往復の際に、前記ローラの質量のみが前記試験片に作用することが必用である。
【００６０】
次に、試験片が圧着された試験板を引張り試験機の取付け冶具に固定し、前記試験板の後端部から延出している前記試験片の後端部領域を前端部方向に向けて約２５ｍｍの長さ寸法だけ引き剥がした後、試験片の後端部領域を前記引張り試験機の上部つかみ部に挟む。そして、前記２５ｍｍの長さ寸法だけ引き剥がした時に、剥がされた部分と前記試験板に圧着されている部分の境界部を始点として、３００±３０ｍｍ／ｍｉｎの速度で試験片を前記試験板の表面から引き剥がす。
【００６１】
この際、前記試験片を前記始点から２０ｍｍの長さ寸法引き剥がす毎に前記引き剥がしに要した力（Ｎ）を測定し、８０ｍｍまでこの測定を行なって、４つの測定値を得る。これらの測定を３つの試験片について行ない、合計１２個の測定値の平均値を、前記固着力とする。
【００６２】
図２（Ａ）（Ｂ）に示すように、前記鼻腔用吸収性物品１は１枚のシート１０およびテープ１１によって形成されている。前記シート１０は、前縁１０ａ，後縁１０ｂおよび両側縁１０ｃ、１０ｄを有し、平面形状が長方形である一枚の不織布で構成されている。前記テープは一定の幅寸法を有する帯状の１枚の樹脂フィルムで構成されている。
【００６３】
このシート１０の長さ方向を２分する中心線Ｏ−Ｏ線上の位置において、前記シート１０の側縁１０ｃの近傍上面に前記テープ１１の一部が重ねられ、この重ねられた部分を接合領域１２として、両者が接着などの手段により接合されている。
【００６４】
前記鼻腔用吸収性物品１は以下のようにして製造される。すなわち、図２（Ｂ）に示すように、前記シート１０の前縁１０ａを上面（前記テープ１１が接合されている側の面）に向う方向に曲げる。次に、前縁１０ａを所定の直径寸法を有する中空部が形成されるようにして前記シート１０の上面に接触させ、図示矢印方向に向って前記シート１０を円筒体状に巻き回す。この際、前記テープ１１の前記接合領域１２が前記シート１０によって形成された円筒体の内部に位置し、それ以外の領域は円筒体の底面から延出するように巻き回される。
【００６５】
このようにして前記シート１０を巻き回して行き、前記シート１０の後縁１０ｂを円筒体の表面に接着などの手段により接合し、円筒体の形成が完成する。したがって、前記シート１０の側縁１０ｃが前記円筒体の底面を構成し、前記側縁１０ｄが円筒体の上面を構成する。
【００６６】
前記のようにして形成された円筒体が図１に示す鼻腔用吸収性物品１の本体２を構成する。このとき、前記円筒体の底面、すなわち前記シート１０の前記側縁１０ｃが本体２の底面２ｂを構成し、前記円筒体の上面、すなわち前記シート１０の前記側縁１０ｄが本体２の上面２ａを構成する。一方、前記テープ１１の前記円筒体の底面から延出している部分が固定手段３を構成する。
【００６７】
その後、前記固定手段３の裏面に感圧接着剤層が積層され、さらにその感圧接着剤層を覆うように離型紙が貼付される。ただし、テープが前記シート１０に接合される前に、前記感圧接着剤層の積層および離型紙の貼付が施されており、感圧接着剤層と離型紙が形成された状態のテープが前記シート１０に接合されるものであっても良い。
【００６８】
前記本体２を構成する材料、すなわち前記シート１０は、例えばパルプや再生セルロースなどの親水性繊維を材料とし、スパンボンド法、スパンレース法、エアスルー法などによって形成された各種不織布を使用できる。また前記材料に代えて、親水性を有する材料または親水性を有しない素材に親水処理を施した材料によって形成されたネットや多孔質フィルムが使用できる。また前記材料に加えて、これら材料を複数組み合せたものも使用できる。
【００６９】
ここで本発明は、前記本体２がシートが巻き回されて形成されるものに限らず、前記本体２が連続気泡フォームなどのブロック体によって一体的に形成されているものであっても良い。この場合、例えばポリウレタンを素材とした連続気泡フォームなどの多孔質体を使用できる。この場合、前記多孔質体に形成されている孔の平均直径寸法は５００μｍ以上であることが好ましい。孔の直径寸法が前記以上であると、鼻腔からの分泌液が粘性を有していても、前記本体２で前記分泌液を吸収し易くなる。
【００７０】
前記固定手段３を構成する材料、すなわち前記テープ１１は、樹脂から形成されたフィルムが使用でき、例えばポリウレタン樹脂から形成されたフィルムや、ポリエチレン樹脂から形成されたフィルムなどを使用できる。
【００７１】
次に、前記鼻腔用吸収性物品１の使用方法について説明する。
まず、使用者は前記本体２を前記上面２ａから鼻腔に挿入する。次に、前記本体２が鼻腔に挿入された状態で、前記固定手段３に貼付されている離型紙を剥がし、感圧接着剤層を露出させ、この感圧接着剤層で前記固定手段３を鼻の外面に固定する。前記本体２は鼻腔内に挿入された状態で前記固定手段３を介して固定されるため、前記本体２の位置ずれを防止できる。このとき、前記固定手段３は前記のとおり無色透明または肌色であり、しかも樹脂フィルムから形成されているため厚さが薄い。したがって、前記固定手段３が目立たず、装着時の美観が良好である。
【００７２】
鼻腔に挿入された本体２は、前記したとおり液を吸収保持する機能を発揮するものであるため、前記鼻腔の内壁などからの分泌液は前記本体２によって吸収され、保持される。したがって、分泌液が鼻腔の外に流出することを防止できる。
【００７３】
前記本体２には前記中空部２ｃが形成されている。この中空部２ｃは、前記本体２が鼻腔に挿入されたときに、使用者の呼気および吸気の通路部として機能する。したがって、使用者の呼吸が妨げられることがないため、使用者は本体２が鼻腔に挿入されていることによる息苦しさを感じることがなく、快適に使用することができる。また前記効果に加え、前記本体２が鼻腔に挿入された状態のまま会話をしても、使用者の声質が変ることがない。
【００７４】
また、前記中空部２ｃを通過して鼻腔内へ入り込もうとする花粉や埃を前記中空部２ｃにおいて、不織布の表面に吸着させることも可能である。
【００７５】
前記鼻腔用吸収性物品１を使用した後には、前記固定手段３を鼻の外面から剥がし、この固定手段３の端部を指で掴んで下方に引くことによって、前記本体２を鼻腔から簡単に取り外すことができる。
【００７６】
図３は本発明の第１の実施の形態の第２の例の鼻腔用吸収性物品を示した斜視図である。図３に示す鼻腔用吸収性物品１０１は図１に示した鼻腔用吸収性物品１と同様の構造部分を有して構成されているものである。したがって、図３においては、鼻腔用吸収性物品１０１の構造のうち、前記鼻腔用吸収性物品１と同様の構造部分には同様の符号を付してその詳しい説明を省略する。
【００７７】
図３に示す鼻腔用吸収性物品１０１は、１つの固定手段３を挟んで、この固定手段の両側に本体２が２つ設けられている。
【００７８】
前記固定手段３は一方の本体２の底面２ｂから、他方の本体２の底面２ｂに渡って設けられており、この固定手段３の側縁部には２つの本体２，２が設けられている。すなわち、２つの前記本体２，２は前記固定手段３を介して連結され、一体的に構成されている。固定手段３の裏面（前記底面２ｂ側）には感圧接着剤層が積層されており（図示せず）、さらに前記感圧接着剤層を覆うように離型シートが貼り付けられている（図示せず）。
【００７９】
図４に示すように、前記鼻腔用吸収性物品１０１は、同一形状で同一の大きさである２枚のシート１１０Ａおよび１１０Ｂと、一定の幅寸法を有する帯状のテープ１１によって形成されている。
【００８０】
このシート１１０Ａは、前縁１１０Ａａ、後縁１１０Ａｂおよび両側縁１１０Ａｃ，１１０Ａｄを有し、シート１１０Ｂは、前縁１１０Ｂａ、後縁１１０Ｂｂおよび両側縁１１０Ｂｃ，１１０Ｂｄを有しており、ともに平面形状が長方形の不織布からなるものである。
【００８１】
前記両シート１１０Ａおよび１１０Ｂは、それぞれの前縁１１０Ａａ，１１０Ｂａとそれぞれの後縁１１０Ａｂ，１１０Ｂｂとが同一直線上になる位置関係で、１１０Ａの側縁１１０Ａｃと１１０Ｂの側縁１１０Ｂｄとが所定の距離を空けて対向して配置される。
【００８２】
このシート１１０Ａおよび１１０Ｂの長さ方向を２分する中心線Ｏ−Ｏ線上の位置において、前記シート１１０Ａの側縁１１０Ａｃの近傍上面に前記テープの一部が重ねられ、この重ねられた部分を接合領域１１２として前記シート１１０Ａと前記テープ１１とが接合される。同様に、前記Ｏ−Ｏ線上の位置において、前記シート１１０Ｂの側縁１１０Ｂｄの近傍上面に前記テープの一部が重ねられ、この重ねられた部分を接合領域１１２として前記シート１１０Ｂと前記テープ１１とが接合される。したがって、前記シート１１０Ａと前記シート１１０Ｂとは、前記テープ１１によって互いに連結された状態である。
【００８３】
前記シート１１０Ａおよび１１０Ｂはともに巻き回されて、２つの円筒体が形成される。このとき、前記シート１１０Ａおよび１１０Ｂの巻き回しは、図２（Ｂ）に示したのと同様にして行われる。
【００８４】
このようにして形成された２つの円筒体が、図４に示す鼻腔用吸収性物品１０１の本体２，２を構成する。このとき、前記シート１１０Ａの前記側縁１１０Ａｃおよび前記シート１１０Ｂの前記側縁１１０Ｂｄが、それぞれ前記円筒体の底面、すなわち前記本体２，２の底面２ｂ，２ｂを構成する。
【００８５】
また、前記シート１１０Ａの前記側縁１１０Ａｄおよび前記シート１１０Ｂの前記側縁１１０Ｂｃが、それぞれ前記円筒体の上面、すなわち前記本体２，２の上面２ａ，２ａを構成する。
【００８６】
一方、前記テープ１１の前記円筒体の底面から延出している部分が固定手段３を構成する。
【００８７】
その後、前記固定手段３の裏面に感圧接着剤層および離型紙が設けられるが、テープが前記シート１１０Ａおよび１１０Ｂに接合される前に、前記感圧接着剤層の積層および離型紙の貼付が施されていても良い。
【００８８】
ここで、前記鼻腔用吸収性物品１０１においても、前記本体２，２が連続気泡フォームなどのブロック体によって一体的に形成されているものとして構成できる。
【００８９】
また、前記鼻腔用吸収性物品１０１の前記本体２，２、および前記固定手段３の材料としては、図１に示した前記鼻腔用吸収性物品１と同様のものを使用できる。
【００９０】
前記鼻腔用吸収性物品１０１は、２つの本体２，２が前記固定手段３によって連結されて一体的に構成されている。したがって、１つの鼻腔用吸収性物品１０１で左右の両鼻腔に対応できるとともに、前記固定手段３の一部を指で掴んで下方に引張ることにより、鼻腔に挿入された２つの前記本体２を同時に取り外すことができ、便利である。
【００９１】
なお、前記鼻腔用吸収性物品１，１０１は前記本体２が円筒状の形態で消費者のもとへ供給されるものである。しかし、本発明はこれに限定されるものではなく、図２（Ａ）若しくは図４に示す状態、すなわち本体２が長方形のシート１０，１１０Ａ，１１０Ｂの状態で消費者のもとへ供給されるものであっても良い。このようにすると、使用者は前記本体２を自分の鼻腔の大きさに適合した直径寸法を有する円筒体とすることができるため、より快適な使用感を得易くなる。また前記効果に加えて、使用者がシート１０，１１０Ａ，１１０Ｂを巻き回し終えたとき、前記シート１０，１１０Ａ，１１０Ｂの後縁１０ｂ，１１０Ａｂ，１１０Ｂｂを円筒体の表面に接合しない状態で本体２を構成することができる。このように前記本体２を構成すると、本体２が直径寸法が大きくなる方向に拡張するため、鼻腔に挿入された本体２が鼻腔を拡張する。したがって、鼻腔粘膜の充血などにより鼻腔が狭窄して鼻詰まりが生じている場合には、この鼻詰まりを軽減することが可能となる。
【００９２】
図５は本発明の第２の実施の形態の第１の例の鼻腔用吸収性物品２０１を示した斜視図、図６は図５のＶＩ―ＶＩ線の断面図である。
【００９３】
図５および図６に示す鼻腔用吸収性物品２０１のうち図１に示す鼻腔用吸収性物品と同様の構成部分には、同様の符号を付してその詳しい説明を省略する。
【００９４】
前記鼻腔用吸収性物品２０１は、鼻腔に挿入される本体２０２と、固定手段３とから構成されている。
【００９５】
前記本体２０２は上面２０２ａおよび底面２０２ｂを有し、中空部２０２ｃを有する円筒形状に構成されている。前記中空部２０２ｃは一定の直径寸法を維持した状態で前記底面２０２ｂから前記上面２０２ａに向って延びており、上端および下端は前記上面２０２ａおよび底面２０２ｂにそれぞれ開口している。
【００９６】
前記本体２０２は、外側に位置する吸収部２０３と、その内側に位置するフィルター部２０４とで構成されている。
【００９７】
前記吸収部２０３は液を吸収し、吸収した液を保持する機能を発揮するものであり、鼻腔から分泌された液を吸収保持できるものである。
【００９８】
前記フィルター部２０４は繊維から形成された不織布によって構成されている。このフィルター部２０４は、基層２０４ａと、フィルター層２０４ｂとから構成されている。このフィルター部２０４を構成する不織布は表面が起毛処理されており、この処理によって生じた起毛部分が前記フィルター層２０４ｂを構成し、繊維が起毛されていない部分が前記基層２０４ａを構成している。
【００９９】
前記フィルター層２０４ｂは前記中空部２０２ｃの内面に位置するように設けられており、微細な複数の繊維によって構成されているため、前記本体２０２を鼻腔に挿入して呼吸をすると、前記中空部２０２ｃを通過する空気中に存在する粉塵や花粉などの浮遊固形物は前記フィルター層２０４ｂを構成する繊維と繊維との間に捕捉される。したがって、空気中の浮遊固形物が鼻腔の粘膜に付着することを防止する機能をさらに高めることができる。
【０１００】
図７に示すように、前記鼻腔用吸収性物品２０１は２枚のシート２１０，２１３およびテープ１１によって形成されている。
【０１０１】
前記シート２１０および２１３は、ともに前縁２１０ａ，２１３ａと、後縁２１０ｂ，２１３ｂ、および両側縁２１０ｃ，２１０ｄ、２１３ｃ，２１３ｄを有し、平面形状が長方形の不織布で構成されている。
【０１０２】
前記シート２１０は、例えばパルプや再生セルロースなどの親水性繊維を材料とし、スパンボンド法、スパンレース法、エアスルー法などによって形成された各種不織布や、親水性を有する材料または親水性を有しない素材に親水処理を施した材料によって形成されたネットや多孔質フィルムが使用できる。
【０１０３】
前記シート２１３は表面が起毛処理されており、所定の長さ寸法を有する繊維が起毛している。このシート２１３は、例えばポリプロピレンやポリエチレンなどを素材とする繊維から形成された、ニードルパンチ不織布やスパンレース不織布を使用できる。
【０１０４】
前記シート２１０および２１３は同一の大きさで同一形状であり、図７に示すようにシート２１０の上部にシート２１３が重ねられている。
【０１０５】
前記シート２１０の長さ方向を２分する中心線Ｏ−Ｏ線上の位置において、前記シート２１３の側縁２１３ｃの近傍上面に前記テープ１１の一部が重ねられ、この重ねられた部分を接合領域２１２として、両者が接着などの手段により接合されている。そして、さらにこの上に、前記シート２１３が重ねられ、ホットメルト型接着剤による接着などの手段により、前記シート２１０および２１３とが接合される。ただし、前記シート２１０または２１３の少なくとも一方が熱溶着可能な素材から形成される場合には、ヒートシールや超音波接合などの手段によって前記両シート２１０および２１３とを接合しても良い。
【０１０６】
前記鼻腔用吸収物品２０１は以下のようにして製造される。すなわち、図７に示すように、前記シート２１０の上に前記シート２１３が重ねられた状態で、それぞれの前縁２１０ａおよび２１３ａを上面（前記テープ１１が接合されている側の面）に向う方向に曲げて中空部を有する円筒状にする。したがって、このとき前記シート２１３の表面に形成された起毛がこの中空部の内側に位置するようになる。
【０１０７】
そして、前記シート２１０と２１３の前縁２１０ａ，２１３ａと、後縁２１０ｂ，２１３ｂとを接着などの手段により接合して円筒体を形成させる。
【０１０８】
したがって、前記シート２１０および２１３の側縁２１０ｃ，２１３ｃが前記円筒体の底面を構成し、前記側縁２１０ｄ，２１３ｄが円筒体の上面を構成する。
【０１０９】
前記のようにして形成された円筒体が図５に示す鼻腔用吸収性物品２０１の本体２０２を構成する。このとき、前記シート２１０が前記吸収部２０３を構成し、前記シート２１３が前記フィルター部を構成する。また、前記円筒体の底面、すなわち前記シート２１０および２１３の前記側縁２１０ｃ，２１３ｃが本体２０２の底面２０２ｂを構成し、前記円筒体の上面、すなわち前記シート２１０および２１３の前記側縁２１０ｄ，２１３ｄが本体２０２の上面２０２ａを構成する。
【０１１０】
また、前記円筒体の中空部が前記本体２０２の中空部２０２ｃを構成し、中空部２０２ｃの内面には、前記シート２１３の起毛によってフィルター層２０４ｂが形成される。
【０１１１】
一方、前記テープ１１の前記円筒体の底面から延出している部分が固定手段３を構成する。
【０１１２】
その後、前記固定手段３の裏面に感圧接着剤層および離型紙が設けられるが、テープが前記シート２１３に接合される前に、前記感圧接着剤層の積層および離型紙の貼付が施されていても良い。
【０１１３】
人間の鼻繊毛の長さ寸法は５〜７μｍであるため、前記シート２１３の表面に形成された起毛の長さ寸法も５〜７μｍの範囲内であることが好ましい。
【０１１４】
また前記構成に加えて、この起毛は帯電処理によりエレクトレット化されていることが好ましい。このように、起毛がエレクトレット化されているものとして構成すると、起毛に保持された電荷によって発生するクーロン力によって、空気中の浮遊固形物を効果的に捕捉することが可能となる。ここで本明細書において「エレクトレット化」とは、繊維をほぼ永久的に荷電した状態にすることを意味する。このエレクトレット化は、コロナ放電によって発生した電流を前記シート２１３に当てることによって行なうことができる。
【０１１５】
また前記構成に代えて、前記起毛の表面に、粘着性物質が塗付されているものとして構成することもできる。このように構成すると、空気中の浮遊固形物が前記粘着性物質に接着され、前記起毛の表面で捕捉され易くなる。
【０１１６】
前記粘着性物質は、基材として、ポリアクリル酸エステル、セルロース、ポリビニルアルコール、ポリグルタミン酸やポリリジンなどのポリアミノ酸、ゼラチン、スチレンの重合体と他の重合体とのブロック共重合体、天然ゴムやエラストマーなどを使用し、前記基材の種類に応じて、液状ポリブテン、鉱油、液状ポリイソブチレン、液状ポリアクリル酸エステルなどの公知の軟化剤や、ロジンやポリテルペンなどの公知の粘着付与剤や、その他の添加剤を添加したものを使用できる。
【０１１７】
前記鼻腔用吸収性物品２０１では、前記吸収部２０３の他、前記フィルター部２０４の基層２０４ａでも鼻腔からの分泌液を吸収することができ、前記フィルター層２０４ｂでは空気中の浮遊固形物を捕捉することができる。
【０１１８】
ここで、前記鼻腔用吸収性物品２０１は、本体２０２が基層２０４ａを構成するシート２１０と、フィルター部２０４を構成するシート２１３とが重ねられて構成されるものを例にして説明したが、本発明はこれに限定されるものではなく、例えば前記本体２０２が前記シート２１３のみで構成することもできる。
【０１１９】
なお、前記鼻腔用吸収性物品２０１は、図１に示した鼻腔用吸収性物品１と同様に、前記本体２０２を構成する吸収部２０３が連続気泡フォームなどのブロック体によって一体的に形成されているものであっても良い。
【０１２０】
図８は本発明の第２の実施の形態の第２の例の鼻腔用吸収性物品３０１を示した斜視図、図９は図８のＩＸ―ＩＸ線の断面図である。
【０１２１】
図８および図９に示す鼻腔用吸収性物品３０１のうち、図１に示す鼻腔用吸収性物品と同様の構成部分には、同様の符号を付してその詳しい説明を省略する。
【０１２２】
前記鼻腔用吸収性物品３０１は、鼻腔に挿入される本体３０２と、固定手段３とから構成されている。
【０１２３】
前記本体３０２は、上面３０２ａおよび底面３０２ｂと、一定の直径寸法を維持した状態で前記底面３０２ｂから前記上面３０２ａに向って延びる中空部３０２ｃを有する円筒形状に構成されている。
【０１２４】
前記本体３０２は、外側に位置する吸収部３０３と、その内側に位置するフィルター部３０４とで構成されている。
【０１２５】
前記吸収部３０３は液を吸収保持する機能を発揮するものであり、鼻腔から分泌された液を吸収保持できるものである。
【０１２６】
前記フィルター部３０４は多数の繊維によって構成されている。前記フィルター部３０４は前記中空部３０２ｃの内面のほぼ全面にわたって設けられており、微細な複数の繊維が交絡して構成されている。したがって、実質的な濾過面積を大きくすることができるため、空気中に存在する浮遊固形物を多量に濾過することができる。
【０１２７】
図１０に示すように、前記鼻腔用吸収性物品３０１は１枚のシート３１０、ウェブ３２０およびテープ１１によって形成されている。
【０１２８】
前記シート３１０は、平面形状が長方形の不織布で構成されている。このシート３１０は、例えばパルプや再生セルロースなどの親水性繊維を材料とし、スパンボンド法、スパンレース法、エアスルー法などによって形成された各種不織布や、親水性を有する材料または親水性を有しない素材に親水処理を施した材料によって形成されたネットや多孔質フィルムが使用できる。
【０１２９】
前記ウェブ３２０は、繊維をシート状に敷き並べて構成される。ここで、後記するように、前記ウェブ３２０は中空部３０２ｃの内面に配置され、フィルター部３０４として形成されるものであるが、前記ウェブ３２０を構成する繊維が親水性を有すると、前記フィルター部３０４が鼻腔からの分泌液を多量に吸収し易くなり、前記フィルター部３０４を呼気および吸気が通過する際に通気抵抗が大きくなるため、使用者が呼吸時に息苦しさを感じ易くなる。したがって、前記繊維は親水性を有しない素材から形成されることが好ましい。前記親水性を有しない素材としては、例えばポリプロピレンやポリエチレンから形成された繊維が挙げられる。前記ウェブを構成する繊維の繊度は２．２ｄｔｅｘ以下であることが好ましく、さらに好ましくは０．０６〜１．７ｄｔｅｘである。またこれに加えて、前記繊維の長さは０．５〜５ｍｍの範囲内であることが好ましい。ただし本発明はこれに限定されるものではなく、前記ウェブ３２０を構成する繊維が、前記ウェブ３２０の前縁３２０ａから後縁３２０ｂまで連続しているものであっても良い。
【０１３０】
このウェブ３２０は繊維どうしが交絡している嵩高のものであり、例えば高圧水流によって繊維に衝撃を与えることや、ニードリングによって、ウェブ３２０を構成する繊維どうしを交絡させることができる。ただし、前記ウェブ３２０を構成する繊維が前縁３２０ａから後縁３２０ｂまで連続しているものである場合は、後記するようにウェブ３２０を円筒状に巻き付けたときに、前記各繊維の中間部が互いに交絡し易いため、前記繊維どうしを交絡させるための処理を行なわなくても良い。
【０１３１】
前記シート３１０およびウェブ３１３は、ともに前縁３１０ａ，３２０ａと、後縁３１０ｂ，３２０ｂ、および両側縁３１０ｃ，３２０ｄ、３１３ｃ，３２０ｄを有し、平面形状が長方形の不織布で構成されている。
【０１３２】
前記シート３１０およびウェブ３２０は、ほぼ同一の大きさ、形状を有しており、図１０に示すようにシート２１０の上部にシート２１３が重ねられている。
【０１３３】
前記シート３１０および前記ウェブ３２０の長さ方向を２分する中心線Ｏ−Ｏ線上の位置において、前記シート３１０の側縁３１０ｃの近傍上面に前記テープ１１の一部が重ねられ、この重ねられた部分を接合領域２１２として、両者が接着などの手段により接合されている。そして、さらにこの上に、前記ウェブ３２０が重ねられ、ホットメルト型接着剤による接着、ヒートシールや超音波接合などの手段によって前記シート３１０と前記ウェブ３２０とが接合されている。
【０１３４】
次に、前記シート３１０の上に前記ウェブ３２０が重ねられた状態で、それぞれの前縁３１０ａおよび３２０ａを上面（図示矢印Ａ方向）に向う方向に曲げ、図５に示した前記鼻腔用吸収性物品２０１の場合と同様にして、中空部を有する円筒状にする。したがって、このとき前記ウェブ３２０がこの中空部の内側に位置するようになる。
【０１３５】
そして、前記シート３１０と前記ウェブ３２０の前縁３１０ａ，３２０ａと、後縁３１０ｂ，３２０ｂとを接着などの手段により接合して円筒体を形成させる。
【０１３６】
前記のようにして形成された円筒体が図８に示す鼻腔用吸収性物品３０１の本体３０２を構成する。
【０１３７】
また、前記円筒体の中空部が前記本体３０２の中空部３０２ｃを構成し、中空部３０２ｃの内面には、前記ウェブ３２０によってフィルター部３０４が形成される。前記ウェブ３２０は繊維が多数交絡して構成されているため、前記フィルター部３０４では、空気中浮遊固形物の捕捉効果が大きなものとなる。
【０１３８】
一方、前記テープ１１の前記円筒体の底面から延出している部分が固定手段３を構成する。
【０１３９】
その後、前記固定手段３の裏面に感圧接着剤層および離型紙が設けられるが、テープが前記シート２１３に接合される前に、前記感圧接着剤層の積層および離型紙の貼付が施されていても良い。
【０１４０】
なお前記構成に加えて、前記鼻腔用吸収性物品２０１と同様に、前記フィルター部３０４を構成する繊維がエレクトレット化されているものや、この繊維の表面に粘着性物質が塗付されているものとして構成しても良い。
【０１４１】
なお、前記鼻腔用吸収性物品３０１も、図１に示した鼻腔用吸収性物品１と同様に、前記本体３０２を構成する吸収部３０３が連続気泡フォームなどのブロック体によって一体的に形成されているものであっても良い。
【０１４２】
【発明の効果】
本発明の鼻腔用吸収性物品は、鼻腔に挿入される本体に液吸収保持機能を発揮する吸収部を有し、この内側に呼気および吸気の通路部として機能する中空部が設けられている。したがって、鼻腔からの分泌液を鼻腔外に流出する前に確実に吸収保持できるとともに、呼吸時の息苦しさが少なく快適な使用が可能である。また、前記本体は鼻腔に挿入され、しかも前記本体を固定するための固定手段が薄いフィルム状であるため、使用時の美観に優れている。
【０１４３】
さらに、前記中空部の内面にフィルター部が設けられているものでは、前記各効果に加えて、空気中の浮遊固形物を前記フィルター部で効果的に捕捉することができる。
【図面の簡単な説明】
【図１】本発明の実施の形態である鼻腔用吸収性物品の第１の実施の形態の第１の例を示す斜視図、
【図２】（Ａ）（Ｂ）は、図１に示す鼻腔用吸収性物品の構造を説明するための斜視図、
【図３】本発明の第１の実施の形態の第２の例の鼻腔用吸収性物品を示した斜視図、
【図４】図３に示す鼻腔用吸収性物品の構造を説明するための斜視図、
【図５】本発明の第２の実施の形態の第１の例の鼻腔用吸収性物品を示した斜視図、
【図６】図６は図５のＶＩ―ＶＩ線の断面図、
【図７】図５に示す鼻腔用吸収性物品の構造を説明するための斜視図、
【図８】本発明の第２の実施の形態の第２の例の鼻腔用吸収性物品を示した斜視図、
【図９】図８のＩＸ―ＩＸ線の断面図、
【図１０】図８に示す鼻腔用吸収性物品の構造を説明するための斜視図、
【符号の説明】
１，１０１，２０１，３０１　鼻腔用吸収性物品
２，２０２，３０２　本体
２ｃ，２０２ｃ，３０２ｃ　中空部
３　固定手段
２０３，３０３　吸収部
２０４，３０４　フィルター部
２０４ａ　基層
２０４ｂ　フィルター層
【図１】
2004041267.tif 000003
【図２】
2004041267.tif 000004
【図３】
2004041267.tif 000005
【図４】
2004041267.tif 000006
【図５】
2004041267.tif 000007
【図６】
2004041267.tif 000008
【図７】
2004041267.tif 000009
【図８】
2004041267.tif 000010
【図９】
2004041267.tif 000011
【図１０】
2004041267.tif 000012